【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
従来のピストンモールド機に動作可能に取付可能なピストンアウターパネルモールドであって、前記アウターパネルピストンモールドは、
ガジオンコア部材の対と、
係合位置と係合解除位置との間で、ピストンの中央の長手方向軸に実質的に垂直である線形経路に沿って、互いに向かって、および互いから離れるように可動である、ガジオン案内ブロックの対とを含み、前記ガジオン案内ブロックの各々は開口部を有し、前記開口部は、前記ガジオンコア部材の別々の１つを、その中における摺動可能な移動のために受け、前記アウターパネルピストンモールドはさらに、
前記ピストンのアンダーカット冷却空洞を形成するよう、前記ガジオン案内ブロックの対間で鉛直方向に閉位置に可動なアウターパネルの対を含み、前記アウターパネルは、前記中央の長手方向軸に沿って鉛直方向に前記ピストンの取出を可能にするよう、鉛直方向に開位置に可動であり、前記アウターパネルは前記ガジオン案内ブロックの移動に応答して前記開位置と前記閉位置との間で可動である、ピストンアウターパネルモールド。
【請求項２】
前記ガジオン案内ブロックの各々に固定された少なくとも１つの駆動部材をさらに含み、前記アウターパネルは開口部を有し、前記開口部は、前記少なくとも１つの駆動部材を、その中における摺動可能な移動のために受ける、請求項１に記載のピストンアウターパネルモールド。
【請求項３】
前記アウターパネルの各々は、前記少なくとも１つの駆動部材の移動に応答して、前記少なくとも１つの駆動部材に沿って、それらの開位置と閉位置との間で移動する、請求項２に記載のピストンアウターパネルモールド。
【請求項４】
前記少なくとも１つの駆動部材は前記中央の長手方向軸と斜めの関係において延在する、請求項３に記載のピストンアウターパネルモールド。
【請求項５】
前記ガジオン案内ブロックは、前記ガジオンコア部材の移動に応答して、それらの係合位置からそれらの係合解除位置に移動する、請求項３に記載のピストンアウターパネルモールド。
【請求項６】
前記ガジオン案内ブロックの各々は少なくとも１つの被駆動部材を有し、前記ガジオンコア部材は、対向する肩部間において延在する窪んだノッチを有する、請求項５に記載のピストンアウターパネルモールド。
【請求項７】
前記被駆動部材が前記肩部から離間されるとき、前記ガジオンコア部材は前記ガジオン案内ブロックに対して可動である、請求項６に記載のピストンアウターパネルモールド。
【請求項８】
前記被駆動部材が前記肩部の１つに当接するとき、前記ガジオン案内ブロックは前記ガジオンコア部材と連帯して移動する、請求項６に記載のピストンアウターパネルモールド。
【請求項９】
前記アウターパネルの対は、互いに向かって、集中する線形経路に沿って、前記閉位置に向かって可動であり、および互いから離れるように、分かれる線形経路に沿って、前記開位置に可動である、請求項１に記載のピストンアウターパネルモールド。
【請求項１０】
前記アウターパネルの対は、少なくとも１つの貫通開口部が通って延在する上側面および下側面を有し、前記少なくとも１つの貫通開口部は、案内部材を動きばめでそこに受け、前記アウターパネルは、前記少なくとも１つの駆動部材の移動に応答して、前記案内部材に沿って摺動する、請求項２に記載のピストンアウターパネルモールド。
【請求項１１】
前記案内部材は前記中央の長手方向軸と斜めの関係において延在する、請求項１０に記載のピストンアウターパネルモールド。
【請求項１２】
前記案内部材は、概ね前記中央の長手方向軸に向かって軸方向に上方向および径方向に内方向に延在するよう傾けられる、請求項１１に記載のピストンアウターパネルモールド。
【請求項１３】
ピストンにおいてアンダーカット冷却空洞を形成する方法であって、
ガジオンコア部材の対を共通のガジオンピン軸に沿ってそれぞれのガジオン案内ブロックを通って係合位置へと互いに向かって移動させるステップと、
前記ガジオンコア部材をそれらの係合位置に向かって移動させながら、前記ガジオン案内ブロックを前記ガジオンピン軸に沿って互いに向かって駆動するステップと、
前記ガジオン案内ブロックの移動に応答してアウターパネルの対を閉位置に駆動するステップと、
前記アウターパネルの上側部分のあたりで流動性のピストン材料を成形して、前記アンダーカット冷却空洞を形成するステップと、
前記ガジオンコア部材を互いから離れるように前記ガジオンピン軸に沿って係合解除位置に移動させるステップと、
前記ガジオンコア部材のそれらの係合解除位置に向かう移動に応答して、前記ガジオン案内ブロックを前記ガジオンピン軸に沿って互いから離れるように駆動するステップと、
前記ガジオン案内ブロックの移動に応答して前記アウターパネルを開位置に駆動するステップとを含む、ピストンにおいてアンダーカット冷却空洞を形成する方法。
【請求項１４】
前記ガジオン案内ブロックの移動に応答して、前記ガジオン案内ブロックに固定される部材に沿って、前記アウターパネルを摺動させるステップをさらに含む、請求項１３に記載の方法。
【請求項１５】
前記ガジオンピン軸と斜めの関係において延在するよう、前記部材を向き付けるステップをさらに含む、請求項１４に記載の方法。
【請求項１６】
前記ガジオンコア部材のそれらの係合位置と係合解除位置との間の移動の少なくとも一部の間において、前記ガジオンコア部材を前記ガジオン案内ブロックに対して移動させるステップをさらに含む、請求項１３に記載の方法。
【請求項１７】
前記ガジオンコア部材のそれらの係合位置と係合解除位置との間の移動の少なくとも一部の間において、前記ガジオン案内ブロックを前記ガジオンコア部材と連帯して移動させるステップをさらに含む、請求項１６に記載の方法。
【請求項１８】
前記ガジオンピン軸に斜めである、集中する線形経路に沿って、前記アウターパネルを前記閉位置に向かって移動させるステップをさらに含む、請求項１３に記載の方法。
【請求項１９】
前記ガジオンピン軸に斜めである、分かれる線形経路に沿って、前記アウターパネルを前記開位置に向かって互いから離れるように移動させるステップをさらに含む、請求項１８に記載の方法。
【請求項２０】
ピストンを構築する方法であって、
従来のモールド機を設けるステップと、
前記モールド機にアウターパネルモールドを取付けるステップとを含み、前記アウターパネルモールドは、ガジオンコア部材の対、ガジオン案内ブロックの対、およびアウターパネルの対を含み、前記方法はさらに、
前記ガジオンコア部材の対を共通のガジオンピン軸に沿ってそれぞれのガジオン案内ブロックを通って係合位置へと互いに向かって移動させるステップと、
前記ガジオンコア部材がそれらの係合位置に向かって移動している間に、前記ガジオン案内ブロックを前記ガジオンピン軸に沿って互いに向かって駆動するステップと、
前記ガジオンコアブロックの移動に応答して前記アウターパネルの対を閉位置に駆動するステップと、
流動性のピストン材料を、モールドキャビティ内において成形してピストン本体を形成し、前記アウターパネルの上側部分のあたりで成形してアンダーカット冷却空洞を前記ピストン本体内に形成するステップと、
前記ガジオンコア部材を互いから離れるように前記ガジオンピン軸に沿って係合解除位置に移動させるステップと、
前記ガジオンコア部材のそれらの係合解除位置に向かう移動に応答して、前記ガジオン案内ブロックを前記ガジオンピン軸に沿って互いから離れるように駆動するステップと、
前記ガジオンコアブロックの移動に応答して前記アウターパネルを開位置に駆動するステップと、
前記ピストン本体を前記モールドキャビティから除去するステップとを含む、ピストンを構築する方法。
【請求項２１】
前記ガジオン案内ブロックの移動に応答して前記アウターパネルを部材に沿って摺動させるステップをさらに含む、請求項２０に記載の方法。
【請求項２２】
前記ガジオンピン軸と斜めの関係において延在するよう、前記部材を向き付けるステップをさらに含む、請求項２１に記載の方法。
【請求項２３】
前記ガジオンコア部材のそれらの係合位置と係合解除位置との間の移動の少なくとも一部の間において、前記ガジオンコア部材を前記ガジオン案内ブロックに対して移動させるステップをさらに含む、請求項２０に記載の方法。
【請求項２４】
前記ガジオンコア部材のそれらの係合位置と係合解除位置との間の移動の少なくとも一部の間において、前記ガジオン案内ブロックを前記ガジオンコア部材と連帯して移動させるステップをさらに含む、請求項２３に記載の方法。
【請求項２５】
前記ガジオンピン軸に斜めである、集中する線形経路に沿って、前記アウターパネルを前記閉位置に向かって移動させるステップをさらに含む、請求項２０に記載の方法。
【請求項２６】
前記ガジオンピン軸に斜めである、分かれる線形経路に沿って、前記アウターパネルを前記開位置に向かって移動させるステップをさらに含む、請求項２５に記載の方法。